(57)【特許請求の範囲】
【請求項１】
ハウジング（１０）と、ハウジング（１０）上に前後方向へ移動可能に取り付けられ、ハウジング（１０）との間に前方を挿入口とするカード挿入スロット（２０）を形成する金属製のスライドカバー（３０）と、ハウジング（１０）に固定され、カード挿入スロット（２０）に挿入されたメモリカード（２００）の電極部と接触可能な接触部を有する接続用端子（５０〜５０）と、ハウジング（１０）に形成されたばね収容凹部（１８）に収容され、ハウジング（１０）とスライドカバー（３０）に係合してスライドカバー（３０）を後方へ付勢するコイルばね（８０）とから成り、スライドカバー（３０）に、スライドカバー（３０）を前方へ移動したときにカード挿入スロット（２０）に挿入されたメモリカード（２００）に係合してメモリカード（２００）を前方へ排出するイジェクト爪（３９）を形成し、ハウジング（１０）に固定され、ハウジング（１０）の両側の外側面から略水平に外側へ突出する水平部（６１）（６１）と、水平部（６１）（６１）に連結して基板に接続される接続部（６３）（６３）とを有する固定用端子（６０）（６０）を備え、スライドカバー（３０）は、ハウジング（１０）上を覆うスライドカバー本体（３２）と、スライドカバー本体（３２）の両側に連設され、固定用端子（６０）（６０）の水平部（６１）（６１）と係合してスライドカバー（３０）を前後方向へ移動可能に案内するとともに、スライドカバー（３０）の後方への移動を制限する第１ガイド片（４５）（４５）と、第１ガイド片（４５）（４５）に連設されてスライドカバー（３０）の前方への移動を制限するストッパー爪（３７）（３７）とを備え、イジェクト爪（３９）がスライドカバー本体（３２）の後端から下方へ垂設されていることを特徴とするメモリカード用コネクタ。
【請求項２】
第１ガイド片（４５）（４５）は、スライドカバー本体（３２）の両側から下方へ垂設され、スライドカバー（３０）が後方へ移動したときに水平部（６１）（６１）に当接してスライドカバー（３０）の後方への移動を制限するストッパー片部（３４）（３４）と、ストッパー片部（３４）（３４）の先端側から後方へ向けて連設され、スライドカバー本体（３２）との間に後方側を開口した案内用間隙（３５）（３５）を形成し、この案内用間隙（３５）（３５）に固定用端子（６０）（６０）を移動可能に係合させるアーム片部（３６）（３６）とで形成され、ストッパー爪（３７）（３７）がアーム片部（３６）（３６）の先端部から上方へ突設されていることを特徴とする請求項１記載のメモリカード用コネクタ。
【発明の詳細な説明】
【技術分野】
【０００１】
本発明は、携帯電話機、パーソナルコンピュータ等の小型電子機器に用いられるＩＣカードのようなメモリカードにデータを書き込んだり、メモリカードからデータを読み出すために使用されるメモリカード用コネクタに関するものである。
【背景技術】
【０００２】
従来、この種のメモリカード用コネクタには、図５〜図８に示すように、メモリカード用コネクタ１００が知られている（特許文献１）。
【特許文献１】特開２００７−６６５８６号公報
【０００３】
すなわち、メモリカード用コネクタ１００は、図８に示すようなハウジング１１０と、ハウジング１１０上に取り付けられ、ハウジング１１０との間にカード挿入スロット１２０を形成するカバー１３０と、ハウジング１１０に固定され、カード挿入スロット１２０に挿入されたメモリカード２００の電極部と接触可能な接触部１５０を有する複数の端子１５０と、カバー１３０の上面に沿って移動可能に取り付けられたスライダ１６０とから成り、これらを組み立てて図５及び図７に示すように形成される。
【０００４】
スライダ１６０には、カバー１３０の両側に形成されたガイド１３１、１３１に係合するガイド部１６１、１６１が形成され、スライダ１６０がメモリカード２００の挿抜方向に沿って移動可能に案内される。また、ハウジング１１０には、スライダ１６０の前方への移動時にガイド部１６１、１６１に当接して前方への移動を制限する前方ストッパー段部１１１、１１１が形成されるとともに、後方への移動時にガイド部１６１、１６１に当接して後方への移動を制限する後方ストッパー段部１１２、１１２が形成され、スライダ１６０の前後方向の移動がこれらのストッパー段部１１１，１１１、１１２，１１２の間に制限される。
【０００５】
そして、メモリカード用コネクタ１００のカード挿入スロット１２０に挿入されたメモリカード２００を抜き出す場合には、スライダ１６０の前端に設けられた取っ手１６２を持ってスライダ１６０を前方に引き出す。このスライダ１６０の引き出しによってスライダ１６０の後端に設けられたイジェクト爪１６３、１６３がメモリカード２００をカード挿入スロット１２０から引き出す。ついでスライダ１６０を後方へ押し込む。このスライダ１６０の押し込みでメモリカード２００のみが前方に引き出された状態で残され、このメモリカード２００を掴んで引き出すことによってメモリカード２００がメモリカード用コネクタ１００のカード挿入スロット１２０から抜き出される。
【発明の開示】
【発明が解決しようとする課題】
【０００６】
しかしながら、図５〜図８に示した従来のメモリカード用コネクタ１００は、ハウジング１１０と、カバー１３０と、複数の端子１５０と、スライダ１６０とから成っているので、構造が複雑になるという問題点があった。  
また、メモリカード用コネクタ１００のカード挿入スロット１２０に挿入されたメモリカード２００を抜き出す場合、スライダ１６０を引き出してメモリカード２００をカード挿入スロット１２０から引き出す操作、メモリカード２００を残してスライダ１６０のみを押し込む操作、残ったメモリカード２００を抜き出す操作の３段階の操作が必要とするため、メモリカード２００の排出操作が煩雑になるという問題点があった。
また、メモリカード２００の排出時に、メモリカード２００の下面と電極部が複数の端子１５０の接触部と摺動接触して抵抗となるだけでなく、メモリカード２００の上面がカバー１３０の内面と摺動接触して抵抗となるので、メモリカード２００の抜き取り抵抗が大きくなるという問題点があった。
【０００７】
本発明は、上述の問題に鑑みなされたもので、構造が簡単で、メモリカードの排出操作を簡単かつ円滑にすることができるメモリカード用コネクタを提供することを目的とするものである。 
【課題を解決するための手段】
【０００８】
請求項１記載の発明は、ハウジング（１０）と、ハウジング（１０）上に前後方向へ移動可能に取り付けられ、ハウジング（１０）との間に前方を挿入口とするカード挿入スロット（２０）を形成する金属製のスライドカバー（３０）と、ハウジング（１０）に固定され、カード挿入スロット（２０）に挿入されたメモリカード（２００）の電極部と接触可能な接触部を有する接続用端子（５０〜５０）と、ハウジング（１０）に形成されたばね収容凹部（１８）に収容され、ハウジング（１０）とスライドカバー（３０）に係合してスライドカバー（３０）を後方へ付勢するコイルばね（８０）とから成り、スライドカバー（３０）に、スライドカバー（３０）を前方へ移動したときにカード挿入スロット（２０）に挿入されたメモリカード（２００）に係合してメモリカード（２００）を前方へ排出するイジェクト爪（３９）を形成し、ハウジング（１０）に固定され、ハウジング（１０）の両側の外側面から略水平に外側へ突出する水平部（６１）（６１）と、水平部（６１）（６１）に連結して基板に接続される接続部（６３）（６３）とを有する固定用端子（６０）（６０）を備え、スライドカバー（３０）は、ハウジング（１０）上を覆うスライドカバー本体（３２）と、スライドカバー本体（３２）の両側に連設され、固定用端子（６０）（６０）の水平部（６１）（６１）と係合してスライドカバー（３０）を前後方向へ移動可能に案内するとともに、スライドカバー（３０）の後方への移動を制限する第１ガイド片（４５）（４５）と、第１ガイド片（４５）（４５）に連設されてスライドカバー（３０）の前方への移動を制限するストッパー爪（３７）（３７）とを備え、イジェクト爪（３９）がスライドカバー本体（３２）の後端から下方へ垂設されていることを特徴とする。
【０００９】
請求項２記載の発明は、請求項１記載の発明において、第１ガイド片（４５）（４５）は、スライドカバー本体（３２）の両側から下方へ垂設され、スライドカバー（３０）が後方へ移動したときに水平部（６１）（６１）に当接してスライドカバー（３０）の後方への移動を制限するストッパー片部（３４）（３４）と、ストッパー片部（３４）（３４）の先端側から後方へ向けて連設され、スライドカバー本体（３２）との間に後方側を開口した案内用間隙（３５）（３５）を形成し、この案内用間隙（３５）（３５）に固定用端子（６０）（６０）を移動可能に係合させるアーム片部（３６）（３６）とで形成され、ストッパー爪（３７）（３７）がアーム片部（３６）（３６）の先端部から上方へ突設されていることを特徴とする。
【発明の効果】
【００１２】
この発明は、メモリカード用コネクタを、ハウジング、スライドカバー、複数の接続用端子、コイルばねで構成し、従来例のカバーとスライダの２部品をスライドカバーの１部品で兼用しているので、構造を簡単にすることができる。
さらに、カード挿入スロットに挿入されたメモリカードを抜き出す場合、スライドカバーを引き出してイジェクト爪でメモリカードをカード挿入スロットから引き出した後にスライドカバーの引き出しを解除すると、コイルばねの復帰力でスライドカバーが元の位置（所定の初期位置）に戻り、従来例のようなスライダのみを押し込む操作が不要となる。このため、メモリカードの排出操作が、スライドカバーを引き出してメモリカードをカード挿入スロットから引き出す操作と、スライドカバーの引き出し解除後に残ったメモリカードを抜き出す操作の２段階の操作で済み、メモリカードの排出操作を従来例より簡単にすることができる。
その上、メモリカードの排出時に、メモリカードがスライドカバーと連動して移動するため、メモリカードの上面がスライドカバーの内面と摺動接触することがなく、メモリカードの下面と電極部が複数の接続用端子の接触部と摺動接触して抵抗となるだけなので、メモリカードの排出操作を円滑にすることができる。
【００１３】
この発明は、ハウジングに固定された固定用端子が水平部を備え、スライドカバーに形成された第１ガイド片が、固定用端子の水平部と係合してスライドカバーを前後方向へ移動可能に案内するとともに、スライドカバーの後方への移動を制限し、ストッパー爪がスライドカバーの前方への移動を制限しているので、メモリカードの排出操作時にスライドカバーに加えられる力を金属製の固定用端子で受け止めることができ、コネクタ強度を向上させることができるとともに、スライドカバーのハウジングからの抜けに対する強度を向上させることができる。
【００１４】
この発明は、第１ガイド片をストッパー片部とアーム片部で形成し、ストッパー爪をアーム片部の先端部から上方へ突設しているので、第１ガイド片及びストッパー爪の構成を簡単にすることができる。
【００１５】
この発明は、ハウジングの側板に案内段部とばね収容凹部を形成し、スライドカバーの両側に案内段部と係合する第２ガイド片を垂設するとともに、切り起こしによってスライドカバーに係合突片を形成し、この係合突片をばね収容凹部に収容されたコイルばねの後端に係合してスライドカバーを後方へ付勢しているので、ハウジングに対してスライドカバーを前後方向へ移動するための構成と、メモリカードの排出時にスライドカバーを元の位置に戻すための構成を簡単にすることができる。
【実施例】
【００１６】
図１〜図３は本発明によるメモリカード用コネクタの一実施例を示すもので、これらの図において、１は、プリント配線基板（以下単に基板という）上に実装されるメモリカード用コネクタである。
メモリカード用コネクタ１は、絶縁ハウジング（以下単にハウジングという。）１０と、ハウジング１０上に前後方向へ移動可能に取り付けられてハウジング１０との間にカード挿入スロット２０を形成するスライドカバー３０と、ハウジング１０に固定されて接触部をカード挿入スロット２０内に臨ませた６個の接続用端子５０と、ハウジング１０に固定された２個の第１固定用端子６０及び第２固定用端子７０と、ハウジング１０とスライドカバー３０に係合してスライドカバー３０を後方に付勢するコイルばね８０とからなっている。
【００１７】
ハウジング１０は、絶縁性合成樹脂で成形され、図３に示すように、平面視で略矩形板状に形成されるとともに後端側にい切欠き１１が形成された底板１２と、底板１２の両側から上方へ立設された側板１３、１３と、底板１２の後側であって切欠き１１の両側から上方へ立設されるとともに側板１３、１３に連設された背板１５、１５とで形成されている。
側板１３、１３の外側面の中間部には、スライドカバー３０がハウジング１０に取り付けられたときにスライドカバー３０を前後方向に案内する案内段部１６、１６が形成され、この案内段部１６、１６の前後方向の端部には、ストッパー段面１７，１７、１７，１７が形成されている。
側板１３、１３の一方は他方より幅広に形成され、この幅広側の側板１３には、上方を開口してコイルばね８０を収容するためのばね収容凹部１８が形成されている。
【００１８】
６個の接続用端子５０、２個の第１固定用端子６０及び第２固定用端子７０は、導電性金属板の打ち抜き、折り曲げ等で一体に連結して形成され、ハウジング１０の成形時にインサート成形によってハウジング１０に組み込まれる。
各端子５０〜５０、６０、６０、７０、７０間の連結部は、インサート成形後にハウジング１０の所定箇所（図示省略）を打ち抜くことで切断される。
【００１９】
６個の接続用端子５０は、図６に示した従来例と同様にハウジング１０に固定されている。
第１固定用端子６０、６０は、ハウジング１０に固定されるとともに、ハウジング１０の側板１３、１３の前方側の外側面上部から外側へ略水平に突出する水平部６１、６１と、水平部６１、６１に連結部６２、６２を介して連結されて基板への半田接続部となる接続部６３、６３とを備えている。
第２固定用端子７０、７０は、ハウジング１０に固定されるとともに、ハウジング１０の側板１３、１３の後方側の外側面下部から外側へ突出して先端側が基板に半田接続される接続部７１、７１を備えている。
【００２０】
スライドカバー３０は、導電性金属板の打ち抜き、折り曲げ等で形成され、図３に示すように、平面視で略矩形板状に形成されるとともに後端側に切欠き３１が形成されたスライドカバー本体３２と、スライドカバー本体３２の前端から上方へ立設された取っ手３３と、スライドカバー本体３２の両側に連設された第１、第２ガイド片４５，４５、３８，３８と、第１ガイド片４５、４５に連設されたストッパー爪３７、３７と、スライドカバー本体３２の後端に連設されてスライドカバー３０の前方への移動を制限するイジェクト爪３９、３９とを備えている。
【００２１】
スライドカバー３０の切欠き３１は、スライドカバー３０がハウジング１０に取り付けられたときにハウジング１０の切欠き１１と略重なり合う位置に形成されている。
イジェクト爪３９、３９は、スライドカバー本体３２の後端から下方へ垂設され、スライドカバー３０がハウジング１０に取り付けられたときにハウジング１０の切欠き１１内に突出して、カード挿入スロット２０に挿入されたメモリカード２００の先端部に当接する位置に形成されている。
スライドカバー３０のスライドカバー本体３２には、ばね収容凹部１８に収容されたコイルばね８０の後端に係合させるためばね係合突片４１が、切り起こしによって形成されている。
【００２２】
第１ガイド片４５、４５は、ストッパー片部３４、３４とアーム片部３６、３６で形成され、第１固定用端子６０、６０の水平部６１、６１と係合してスライドカバー３０を前後方向へ移動可能に案内するとともに、スライドカバー３０の後方への移動を制限する。
ストッパー片部３４、３４は、スライドカバー本体３２の両側の前方から下方へ垂設され、スライドカバー３０がハウジング１０に取り付けられたときに第１固定用端子６０、６０の水平部６１、６１に当接してスライドカバー３０の後方への移動を制限し、アーム片部３６、３６は、ストッパー片部３４、３４の先端部から後方へ向かって片持ち板片状に連設され、スライドカバー本体３２との間に後方側を開口した案内用間隙３５、３５を形成し、この案内用間隙３５、３５に第１固定用端子６０、６０の水平部６１、６１を前後方向へ移動可能に係合させている。
ストッパー爪３７、３７は、アーム片部３６、３６の先端側から上方へ立設され、第１固定用端子６０、６０の水平部６１、６１に当接することによって、スライドカバー３０の前方への移動を制限している。
【００２３】
第２ガイド片３８、３８は、スライドカバー本体３２の両側の後方から下方へ垂設され、ハウジング１０の案内段部１６、１６と係合してスライドカバー３０を前後方向へ移動可能に案内するとともに、案内段部１６、１６のストッパー段面１７，１７、１７，１７に当接してスライドカバー３０の前後方向への移動を制限している。
【００２４】
つぎに、メモリカード用コネクタ１の組立について説明する。
（１）合成樹脂成形によってハウジング１０が形成され、このハウジング１０の成形時に一連に形成された端子群５０〜５０、６０、６０、７０、７０がインサート成形でハウジング１０に組み込み固定され、ついで、所定箇所（図示省略）の打ち抜きで、各端子間の連結部が切断され、図３の下側に示すような端子群５０〜５０、６０、６０、７０、７０が組み込まれたハウジング１０が形成される。
【００２５】
（２）導電性金属板の打ち抜き、折り曲げ等で形成された図３の上側に示すスライドカバー３０を、図３の下側に示すハウジング１０上に取り付け、スライドカバー３０とハウジング１０の間にカード挿入スロット２０を形成する図１及び図２に示すようなメモリカード用コネクタ１が形成される。
このスライドカバー３０のハウジング１０上への取り付けは、まず、スライドカバー３０のストッパー爪３７、３７がハウジング１０の第１固定用端子６０、６０より前方側の上部に位置するとともに、スライドカバー３０の第２ガイド片３８、３８がハウジング１０の案内段部１６、１６の上部に位置するように位置合わせをして、矢印ａに示すようにスライドカバー３０をハウジング１０上に被せて第２ガイド片３８、３８を案内段部１６、１６に係合し、ついで、矢印ｂに示すようにスライドカバー３０を後方へ移動してスライドカバー３０の案内用間隙３５、３５にハウジング１０の第１固定用端子６０、６０の水平部６１、６１、６１を係合する。
このスライドカバー３０のハウジング１０上への取り付け時において、同時に、コイルばね８０は、その後方端がスライドカバー３０のばね係合突片４１に係合されつつハウジング１０のばね収容凹部１８に圧縮状態で収容される。
【００２６】
（３）前記（１）（２）により、スライドカバー３０は、ハウジング１０上に前後方向へ移動可能に取り付けられるとともに、コイルばね８０によって後方へ付勢され、図１及び図２に示すようなメモリカード２００の未挿入状態となる。このメモリカード２００が未挿入の初期時には、第１ガイド片４５、４５のストッパー片部３４、３４が第１固定用端子６０、６０の水平部６１、６１に当接するとともに、第２ガイド片３８、３８がストッパー段面１７、１７と当接して、スライドカバー３０の後方への移動が所定位置（初期状態位置）に制限されている。
【００２７】
つぎに、前記実施例の作用について、図４を併用して説明する。
メモリカード用コネクタ１は、その接続用端子５０〜５０の接続部、第１固定用端子６０、６０の接続部６３、６３及び第２固定用端子７０、７０の接続部７１を基板（図示省略）上の接続用ランドに半田接続することによって、基板上に実装される。
以下、カード嵌合時、カードイジェクト時、カード取り出し時に分けて説明する。
【００２８】
（１）カード嵌合時
メモリカード２００をメモリカード用コネクタ１のカード挿入スロット２０に挿入して嵌合したときは、図４（ａ）に示すような状態となる。
すなわち、メモリカード２００をメモリカード用コネクタ１のカード挿入スロット２０に挿入し、その先端部がハウジング１０の背板１５、１５の内側面に当接するまで挿入することによって図４（ａ）に示すような状態となる。
このとき、メモリカード２００の先端部はスライドカバー３０のイジェクト爪３９、３９にも当接している。
また、メモリカード２００の電極部は接続用端子５０〜５０の接触部に弾性接触し、基板上の電気回路と電気的に接続される。
【００２９】
（２）カードイジェクト時
メモリカード２００をカード挿入スロット２０から排出するためにスライドカバー３０の取っ手３３をもってスライドカバー３０を前方へ引き出すと、図４（ｂ）に示すような状態となる。
すなわち、スライドカバー３０を前方へ引き出すと、スライドカバー３０のイジェクト爪３９、３９によってメモリカード２００が前方へ引き出され、スライドカバー３０のストッパー爪３７、３７が第１固定用端子６０、６０の水平部６１、６１に当接して前方への移動が制限され、スライドカバー３０のばね係合突片４１に係合するコイルばね８０が圧縮され、図４（ｂ）に示すような状態となる。
このとき、スライドカバー３０に形成された第１ガイド片４５、４５が第１固定用端子６０、６０の水平部６１、６１と係合してスライドカバー３０を前後方向へ移動可能に案内しているので、メモリカード２００の抜去時にメモリカード２００でスライドカバー３０がコネクタ上下方向にあおられた場合に、コネクタ半田付け部に加わる剥離方向の負荷を緩和して半田付け部を剥離し難くすることができる。
その上、メモリカード２００のイジェクト操作時にスライドカバー３０に加えられる力を金属製の第１固定用端子６０、６０の水平部６１、６１で受け止めることができ、コネクタ強度を向上させることができるとともに、スライドカバー３０のハウジング１０からの抜けに対する強度を向上させることができる。
さらに、メモリカード２００は、スライドカバー３０と一緒に移動し、メモリカード２００の上面がスライドカバー３０の内面と摺動接触しないので、メモリカード２００のイジェクト操作を円滑にすることができる。
【００３０】
（３）カード取り出し時  
メモリカード２００を取り出すためにスライドカバー３０の取っ手３３から手を離すと、図４（ｃ）に示すような状態となる。
すなわち、スライドカバー３０の取っ手３３から手を離すと、コイルばね８０の復元力によってスライドカバー３０のみが後方へ移動して初期位置に復帰し、メモリカード２００が引き出し容易な図４（ｃ）に示すような状態となる。
【００３１】
前記作用（１）（２）（３）で説明したように、メモリカード２００の排出操作が、スライドカバー３０を引き出してメモリカード２００をカード挿入スロット２０から引き出す操作と、スライドカバー３０の引き出し解除後に残ったメモリカード２００を抜き出す操作の２段階の操作で済むので、メモリカード２００の排出操作を簡単にすることができる。
【００３２】
前記実施例では、ストッパー片部３４、３４とストッパー爪３７、３７を第１固定用端子６０、６０の水平部６１、６１と当接させることによって、スライドカバー３０の前後方向への移動を制限する第１の構成と、第２ガイド片３８、３８をストッパー段面１７，１７、１７，１７と当接させることによってスライドカバー３０の前後方向への移動を制限する第２の構成とを備えて、コネクタ強度を向上させるとともに、スライドカバー３０のハウジング１０からの抜けに対する強度を向上させるようにした場合について説明したが、本発明はこれに限るものではない。
例えば、ストッパー片部３４、３４とストッパー爪３７、３７を第１固定用端子６０、６０の水平部６１、６１と当接させることによって、スライドカバー３０の前後方向への移動を制限する第１の構成と、第２ガイド片３８、３８をストッパー段面１７，１７、１７，１７と当接させることによってスライドカバー３０の前後方向への移動を制限する第２の構成とのいずれか一方の構成を備えて他方の構成を省略した場合についても利用することができる。 
【００３３】
前記実施例では、コネクタの構成を簡単にするために、ハウジング１０が底板１２と側板１３、１３を備え、側板１３、１３に案内段部１６、１６を形成するとともに一方の側板１３にばね収容凹部１８を形成し、スライドカバー３０がスライドカバー本体３２と取っ手３３と第２ガイド片３８、３８とを備え、案内段部１６、１６に第２ガイド片３８、３８を係合してスライドカバー３０を前後方向へ移動可能とし、ばね収容凹部１８に収容されたコイルばね８０の後端にスライドカバー３０のばね係合突片４１を係合してスライドカバー３０を後方へ付勢するようにした場合について説明したが、本発明はこれに限るものでなく、ハウジングと、ハウジングに取り付けられてハウジングとの間にカード挿入スロットを形成するスライドカバーと、ハウジングに固定された複数の端子と、ハウジングに形成されたばね収容凹部に収容され、ハウジングとスライドカバーに係合してスライドカバーを後方へ付勢するコイルばねとから成り、スライドカバーにスライドカバーを前方へ移動したときにメモリカードに係合してメモリカードを前方へ排出するイジェクト爪を形成したメモリカード用コネクタに利用することができる。
【図面の簡単な説明】
【００３４】
【図１】本発明によるメモリカード用コネクタの一実施例を示す斜視図である。
【図２】図１のメモリカード用コネクタ１を図１とは異なる視点から見た斜視図ある。
【図３】メモリカード用コネクタ１の分解斜視図である。
【図４】メモリカード用コネクタ１に対するメモリカード２００の嵌合、イジェクト、取り出しの各操作を説明するもので、（ａ）はカード嵌合時、（ｂ）はカードイジェクト時、（ｃ）はカード取り出し時の説明図である。
【図５】従来例を示す平面図である。
【図６】図５のメモリカード用コネクタ１００においてカバー１３０及びスライダ１６０を取り付ける前の状態を示すもので、複数の端子１５０が組み込まれたハウジング１１０の平面図である。
【図７】メモリカード用コネクタ１００を前後方向に沿って切断した拡大断面図である。
【図８】メモリカード用コネクタ１００の分解斜視図である。
【符号の説明】
【００３５】
１…メモリカード用コネクタ
１０…ハウジング
１２…底板
１３…側板
１８…ばね収容凹部
２０…カード挿入スロット
３０…スライドカバー
３２…スライドカバー本体
３３…取っ手
３４…ストッパー片部
３５…案内用間隙
３６…アーム片部
３７…ストッパー爪
３８…第２ガイド片
３９…イジェクト爪
４１…ばね係合突片
４５…第１ガイド片
５０…接続用端子
６０…第１固定用端子
６１…端子６０の水平部
６３…端子６０の接続部
７０…第２固定用端子
８０…コイルばね
２００…メモリカード
【図１】
0004334583.tif 000002
【図２】
0004334583.tif 000003
【図３】
0004334583.tif 000004
【図４】
0004334583.tif 000005
【図５】
0004334583.tif 000006
【図６】
0004334583.tif 000007
【図７】
0004334583.tif 000008
【図８】
0004334583.tif 000009